(57)【要約】【課題】  保形性および寸法安定性に優れるとともに、軽量で、十分に高い剛性を有し、それにより、ハンマーの安定した動作と豊かな音量を確保することができるピアノのハンマーシャンクを提供する。【解決手段】  ハンマーヘッド３とともにハンマー１を構成し、鍵１０の押鍵に伴って回動するピアノのハンマーシャンク２であって、長繊維法で成形された、補強用の長繊維を含有する熱可塑性樹脂の成形品で構成されている。また、ハンマーシャンク２は、重量を軽減するための肉盗み部２ｃを有する。さらに、補強用の長繊維は炭素繊維で構成され、熱可塑性樹脂はＡＢＳ樹脂で構成されている。【選択図】  図１
2005099609.tif 000002
【特許請求の範囲】
【請求項１】
ハンマーヘッドとともにハンマーを構成し、鍵の押鍵に伴って回動するピアノのハンマーシャンクであって、
長繊維法で成形された、補強用の長繊維を含有する熱可塑性樹脂の成形品で構成されていることを特徴とするピアノのハンマーシャンク。
【請求項２】
重量を軽減するための肉盗み部を有することを特徴とする、請求項１に記載のピアノのハンマーシャンク。
【請求項３】
前記長繊維が炭素繊維であることを特徴とする、請求項１または２に記載のピアノのハンマーシャンク。
【請求項４】
前記熱可塑性樹脂がＡＢＳ樹脂であることを特徴とする、請求項１ないし３のいずれかに記載のピアノのハンマーシャンク。
【発明の詳細な説明】
【技術分野】
【０００１】
本発明は、アコースティックピアノなどにおいて、ハンマーヘッドとともにハンマーを構成し、鍵の押鍵に伴って回動するピアノのハンマーシャンクに関する。
【背景技術】
【０００２】
図６は、グランドピアノのハンマー５１、およびこれを支持するシャンクフレンジ５４を示しており、これらは鍵１０（図７参照）ごとに設けられている。ハンマー５１は、ハンマーシャンク５２およびハンマーヘッド５３などで構成されている。ハンマーシャンク５２は、従来一般に、木材で構成されている。これは、木材が入手が容易で、加工性が良いとともに、軽量でありながら、剛性が高いという利点を有するためである。ハンマーシャンク５２は、細長い棒状に形成されており、その後端部にハンマーヘッド５３が設けられている。また、ハンマーシャンク５２の前端部には、二股状に分岐した２つの腕部５２ａ，５２ａが形成されており、これらの腕部５２ａ，５２ａは、互いに平行に前方に延びている。
【０００３】
シャンクフレンジ５４は、ハンマーシャンク５２と同じ理由から、従来一般に、木材で構成されている。シャンクフレンジ５４は、断面が矩形状に形成されており、フレンジねじ７を介して、ハンマーシャンクレール１２に固定されている（図７参照）。シャンクフレンジ５４の後端部には、所定の幅の係合部５４ａが後方に突出するように形成されており、この係合部５４ａが、ハンマーシャンク５２の腕部５２ａ，５２ａの間に係合している。また、腕部５２ａ，５２ａおよび係合部５４ａにはピン５が通されており、ハンマーシャンク５２は、このピン５を介して、シャンクフレンジ５４に、水平軸線回りに回動自在に支持されている。
【０００４】
また、シャンクフレンジ５４の係合部５４ａの両側面は、互いに平行に形成されており、ハンマーシャンク５２の腕部５２ａ，５２ａの内側面に、若干のクリアランスをもって対向している。さらに、ハンマーシャンク５２の下面の前端部には、円柱状のシャンクローラ６が取り付けられており、ハンマーシャンク５２は、このシャンクローラ６を介して、アクション８のレペティションレバー９（図７参照）に載置されている。
【０００５】
以上の構成により、鍵１０の押鍵に伴い、ハンマーシャンク５２が、シャンクローラ６を介してアクション８のジャック１１で突き上げられることによって、ハンマーシャンク５２およびハンマーヘッド５３が一体に上方に回動し、ハンマーヘッド５３が弦Ｓを打弦することによって、ピアノの発音が行われる（図７参照）。また、これらの回動時、ハンマーシャンク５２が、腕部５２ａ，５２ａおよび係合部５４ａで案内されることにより、ハンマーシャンク５２は、左右にぶれることなく回動する。
【０００６】
また、従来の他のハンマーシャンクとして、特許文献１に開示されたものが知られている。このハンマーシャンクは、断面が矩形状の細長い棒状に形成されている。ハンマーシャンクの前端部には、従来のハンマーシャンクと同様に、二股状に分岐した２つの腕部が互いに平行に前方に延びるように設けられている。ハンマーシャンクは、木材で構成されており、その上面および下面が炭素繊維で被覆されている。具体的には、複数の炭素繊維を、ハンマーシャンクの長さ方向に沿って延び、かつ幅方向に並ぶように配置するとともに、複数のガラス繊維をこれと直交する方向に配置することによって、これらを織物状に形成する。そして、このような織物状の炭素繊維をエポキシ樹脂を用いて接着することによって、ハンマーシャンクの上面および下面が織物状の炭素繊維によって被覆されており、それにより、木材のみで構成された場合よりも高い剛性を得るようにしている。
【０００７】
前述したように、ハンマーシャンク５２の材料としては従来一般に、軽量性と高剛性を併せ持つ木材が用いられている。特に、ハンマーシャンク５２の場合には、これに取り付けられたハンマーヘッド５３が弦Ｓの打弦部材として機能するため、鍵１０が強打されたときにも、押鍵エネルギーを弦Ｓに十分に伝達し、それにより、豊かな音量が得られるよう、高い剛性が要求される。また、音量を確保するためには、ハンマーの回動速度を高くすることが好ましく、そのために軽量性が要求される。
【０００８】
しかし、その一方で、天然の素材である木材は、均質性に乏しいため、剛性や重量がばらつくとともに、残留した応力などにより反りやねじれなどの変形が発生しやすいという欠点を有する。また、木材は、乾湿による寸法変化が大きいので、図７に示すハンマーシャンク５２に用いられた場合には、ハンマーシャンク５２の腕部５２ａ，５２ａとシャンクフレンジ５４の係合部５４ａとの間のクリアランスが、乾湿に応じて比較的大きく変化する。特に、このハンマーシャンク５２では、前述した理由から、この間のクリアランスがもともと狭く設定されているので、その変化量が大きいと、ハンマーシャンク５２がシャンクフレンジ５４に対して、緩くなったり、きつくなったりする。以上のような自身の変形やシャンクフレンジ５４の係合部５４ａとのクリアランスの変化によって、鍵１０の押鍵強さに応じたハンマー５１の回動速度が安定して得られないおそれがある。
【０００９】
一方、特許文献１に開示されたハンマーシャンクは、木材が炭素繊維で被覆されているので、木材のみで構成されたハンマーシャンクと比較して、高い剛性を得ることができる。しかし、このハンマーシャンクは、その上面および下面のみを炭素繊維で被覆するにすぎず、それ以外のハンマーシャンクの大部分は木材のままなので、それにより得られる剛性には限界がある。また、このハンマーシャンクは、その大部分が木材で構成されているので、この木材部分は、上述した木材のみで構成されたハンマーシャンクと同様、均質性に乏しいため、剛性および重量のばらつきや変形などによる不具合を完全に解消することは困難である。その結果、鍵の押鍵強さに応じたハンマーの回動速度が安定して得られないおそれがある。また、ハンマーシャンクの上面および下面に炭素繊維を被覆しているので、その分、ハンマーシャンクの加工に手間がかかるため、組立工数が増加し、それにより、製造コストが増大する。  
【００１０】
本発明は、このような課題を解決するためになされたものであり、保形性および寸法安定性に優れるとともに、軽量で、十分に高い剛性を有し、それにより、ハンマーの安定した動作と豊かな音量を確保することができるピアノのハンマーシャンクを提供することを目的とする。
【００１１】
【特許文献１】実開昭５８−１１３０８９号公報
【発明の開示】
【課題を解決するための手段】
【００１２】
この目的を達成するため、請求項１による発明は、ハンマーヘッドとともにハンマーを構成し、鍵の押鍵に伴って回動するピアノのハンマーシャンクであって、長繊維法で成形された、補強用の長繊維を含有する熱可塑性樹脂の成形品で構成されていることを特徴とする。
【００１３】
上記の構成における長繊維法とは、熱可塑性樹脂で被覆した同じ長さの繊維状の強化材を含むペレットを射出成形することによって、成形品を得るものである。この長繊維法によれば、成形品中に、例えば０．５ｍｍ以上の長さを有する比較的長い繊維状の強化材が含有される。したがって、本発明のハンマーシャンクは、比較的長い補強用の長繊維を含有することにより、非常に高い剛性が得られ、木材と同等またはそれ以上の十分な剛性を得ることができる。その結果、鍵が押鍵されたときのハンマーシャンクのたわみを抑制でき、押鍵エネルギーがハンマーから弦に効率良く伝達されることによって、豊かな音量を得ることができる。また、長繊維法で成形された成形品は、保形性や寸法安定性に優れているので、木材の場合と比較して、ハンマーシャンク自身の反りおよびねじれなどの変形および乾湿による伸縮を、非常に小さく抑制することができる。以上により、ハンマーの安定した動作を確保することができる。
【００１４】
請求項２に係る発明は、請求項１に記載のピアノのハンマーシャンクにおいて、重量を軽減するための肉盗み部を有することを特徴とする。
【００１５】
この構成によれば、肉盗み部によってハンマーシャンクが軽量化されるので、それにより、ハンマーの回動速度が高められることによって、さらに豊かな音量を得ることができる。また、上述したように、本発明では、補強用の長繊維によって剛性が高められるので、肉盗み部により断面が減少しても、所要の剛性を確保することが可能である。このように、所要の剛性を確保しながら、軽量化を最大限に図ることができる。また、ハンマーシャンクは樹脂の成形品で構成されるので、そのような肉盗み部を、成形時に容易にかつ精度良く形成することができる。  
【００１６】
また、請求項３に係る発明は、請求項１または２に記載のピアノのハンマーシャンクにおいて、長繊維が炭素繊維であることを特徴とする。
【００１７】
一般に、炭素繊維は、他の補強用の長繊維、例えばガラス繊維よりも導電性が高い。したがって、上記のように、炭素繊維を補強用の長繊維として用いることにより、ハンマーシャンクの導電性が高められることによって、その帯電を防止することができる。それにより、ハンマーシャンクおよびその周辺へのほこりなどの付着を抑制でき、したがって、ハンマーの動作および外観を良好に維持することができる。
【００１８】
また、請求項４に係る発明は、請求項１ないし３のいずれかに記載のピアノのハンマーシャンクにおいて、熱可塑性樹脂がＡＢＳ樹脂であることを特徴とする。
【００１９】
ハンマーシャンクには一般に、ハンマーヘッドやシャンクローラなどの他の部品が取り付けられる。一方、ＡＢＳ樹脂は、熱可塑性樹脂の中では、比較的高い接着性を有する。したがって、ハンマーシャンクを構成する熱可塑性樹脂として、ＡＢＳ樹脂を用いることにより、ハンマーシャンクへのシャンクローラなどの他の部品の取り付けを、接着によって容易に行うことができ、その組立性を向上させることができる。
【図面の簡単な説明】
【００２０】
【図１】本発明の第１実施形態によるグランドピアノのハンマーをシャンクフレンジとともに示す斜視図である。
【図２】図１のハンマーシャンクの斜視図である。
【図３】図１のハンマーおよびシャンクフレンジを含むグランドピアノの鍵盤装置の側面図である。
【図４】本発明の第２実施形態によるハンマーをシャンクフレンジとともに示す斜視図である。
【図５】図４のハンマーシャンクの斜視図である。
【図６】従来のハンマーおよびシャンクフレンジの斜視図である。
【図７】図６のハンマーおよびシャンクフレンジを含むグランドピアノの鍵盤装置の側面図である。
【発明を実施するための最良の形態】
【００２１】
以下、図面を参照しながら、本発明の好ましい実施形態を、詳細に説明する。なお、以下の説明では、グランドピアノを演奏者から見た場合の手前側（図３の右側）を「前」、奥側（図３の左側）を「後」とし、さらに鍵１０の並び方向を「左右方向」として、説明を行うものとする。まず、図１を参照しながら、ハンマー１およびシャンクフレンジ４の構成について説明する。同図に示すように、ハンマー１は、ハンマーシャンク２およびハンマーヘッド３などで構成されている。
【００２２】
ハンマーシャンク２は、本実施形態では、長繊維法で成形された熱可塑性樹脂の成形品で構成されており、例えば、以下に述べるようなペレットを用いた射出成形によって成形されている。このペレットは、炭素繊維で構成されたロービングを、所定の張力を加えた状態で揃えながら、ゴム状重合体を含む熱可塑性樹脂である、例えばＡＢＳ樹脂を押出機で押し出したもので被覆することによって成形される。このような成形方法により、ペレットの成形時に炭素繊維のロービングが折れることがなく、成形されたペレット中にこれと等しい長さの炭素繊維を含有させることができる。本実施形態では、ペレットの長さは５〜１５ｍｍに設定されており、それにより、このペレットを用いて射出成形されたハンマーシャンクには、０．５〜２ｍｍの長さの炭素繊維が含有される。  
【００２３】
図１に示すように、ハンマーシャンク２は、前後方向に延び、所定の径Ｄを有する断面円形状の本体部２ａと、本体部２ａの前端部から互いに平行に前方に延びる二股状の一対の腕部２ｂ，２ｂを一体に備えている。図２に示すように、本体部２ａの中央部には、断面円形の中空部２ｃ（肉盗み部）が長さ方向に延びるように形成されている。このような構成により、本体部２ａは、断面一定の細長い円筒状に形成されている。なお、中空部２ｃは、ハンマーシャンク２を射出成形する際、金型内にピンを挿入した状態で射出を行い、金型内に充填されたＡＢＳ樹脂が冷却された後に、ピンを引き抜くことによって形成することが可能である。
【００２４】
一対の腕部２ｂ，２ｂには、側方に貫通する孔（１つのみ図示）２ｄ，２ｄが直線状に並ぶように形成され、これらの孔２ｄ，２ｄに、ブッシングクロス（図示せず）を介してピン５が取り付けられている。一対の腕部２ｂ，２ｂの下面の後端部には、孔２ｄ，２ｄよりも後ろ側に、ハンマーシャンク２の長さ方向と直交する方向（左右方向）に溝２ｅが成形されており、この溝２ｅに、シャンクローラ芯１４が下方に突出するように取り付けられている。そして、このシャンクローラ芯１４の突出部を前後から覆うように円柱状のシャンクローラ６が取り付けられている。
【００２５】
また、ハンマーシャンク２の後端部には、これと直交するようにハンマーヘッド３が設けられている。ハンマーヘッド３は、木材などで構成されたハンマーウッド３ａと、その先端部を包むように順に巻かれたアンダーフェルト３ｂおよびトップフェルト３ｃで構成されている。
【００２６】
シャンクフレンジ４は、木材または合成樹脂で構成されている。図１に示すように、シャンクフレンジ４は、断面がほぼ矩形の細長い本体部４ａと、その背面の中央部から後方に突出する係合部４ｂを一体に有している。係合部４ｂは、所定の幅を有し、その両側面が互いに平行に形成されており、ハンマーシャンク２の腕部２ｂ，２ｂの間に、若干のクリアランスをもって係合している。また、係合部４ｂには、孔（図示せず）が側方に貫通するように形成されている。そして、この孔にピン５が通されることによって、ハンマーシャンク２は、このピン５を介してシャンクフレンジ４に、水平軸線回りに回動自在に支持されている。
【００２７】
また、本体部４ａの中央部には、シャンクフレンジ４を後述するハンマーシャンクレール１２に取り付けるための取付孔４ｃが、上下方向に貫通するように形成されている。さらに、本体部４ａと係合部４ｂとの境界部付近には、上下方向に貫通するねじ孔４ｄが形成されており、このねじ孔４ｄに、後述するレペティションレバー９の上方への回動を規制するためのドロップスクリュー１３が、下方から進退自在にねじ込まれている。
【００２８】
次に、鍵１０の押鍵に伴ってハンマー１を回動させるアクション８の構成を、図３を参照して説明する。アクション８は、多数の鍵１０（１つのみ図示）ごとに設けられている。同図に示すように、アクション８は、前後方向に延びる回動自在のウィッペン１５と、ウィッペン１５に回動自在に取り付けられたレペティションレバー９およびジャック１１を備えており、左右のブラケット１６，１６（一方のみ図示）の間に取り付けられている。左右のブラケット１６，１６は、鍵１０を載置する筬（図示せず）の左右端部にそれぞれ固定され、それらの間にウィッペンレール１７が渡されていて、このウィッペンレール１７にねじ止めした各ウィッペンフレンジ１８に、ウィッペン１５の後端部が回動自在に取り付けられている。各ウィッペン１５は、対応する鍵１０の上面後部に設けられたキャプスタンボタン１９に、ウィッペンヒール２０を介して載っている。
【００２９】
また、左右のブラケット１６，１６の間には、ハンマーシャンクレール１２が渡されている。このハンマーシャンクレール１２には、多数のねじ穴（図示せず）が左右方向に並ぶように形成されており、シャンクフレンジ４は、その取付孔４ｃに通したフレンジねじ７を、ハンマーシャンクレール１２のねじ穴にねじ込み、締め付けることによって、ハンマーシャンクレール１２に固定されている。
【００３０】
レペティションレバー９は、断面が矩形状で、斜め前上がりに前後方向に延びており、その中央部において、ウィッペン１５に回動自在に取り付けられている。レペティションレバー９の後端部には、レバースクリュー２１が上下方向に貫通した状態で進退自在に螺合しており、その下端部にレバーボタン２２が一体に設けられている。また、レペティションレバー９は、ウィッペン１５に取り付けたレペティションスプリング２３によって、復帰方向（図３の反時計方向）に付勢されている。以上の構成により、鍵１０の離鍵状態では、レペティションレバー９は、レペティションスプリング２３のばね力により復帰側に回動していて、レバーボタン２２がウィッペン１５の上面に当接しているとともに、レバースクリュー２１を回すことによって、離鍵状態におけるレペティションレバー９の角度を調整することが可能である。
【００３１】
レペティションレバー９の前部の所定位置には、上下方向に貫通するジャック案内孔９ａが形成されている。このレペティションレバー９の上面のジャック案内孔９ａ付近に、ハンマー１がシャンクローラ６を介して載置されている。また、レペティションレバー９の上面の前端部には、レバースキン２４が貼り付けられており、ドロップスクリュー１３に対向している。この構成により、ドロップスクリュー１３を回し、その下方への突出量を調整することによって、これにレペティションレバー９が当接するレットオフ位置を調整することが可能である。
【００３２】
ジャック１１は、上下方向に延びる断面矩形のハンマー突上げ部１１ａと、その下端部から後方にほぼ直角に延びるレギュレーティングボタン当接部１１ｂとから、Ｌ字状に形成されており、その角部においてウィッペン１５の前端部に回動自在に取り付けられている。ハンマー突上げ部１１ａの上端部は、レペティションレバー９のジャック案内孔９ａに、前後方向に移動自在に係合するとともに、離鍵状態においてはシャンクローラ６と微小な間隔を存して対向している。また、ジャック１１は、レペティションレバー９を付勢するレペティションスプリング２３によって、復帰方向（図３の反時計方向）に付勢されている。
【００３３】
また、ジャック１１のハンマー突上げ部１１ａの中間部には、ジャック１１の角度位置を調整するためのジャックボタンスクリュー２５が、前後方向に貫通した状態で進退自在に螺合している。ジャックボタンスクリュー２５の先端部には、ジャックボタン２６が一体に設けられており、このジャックボタン２６は、離鍵状態では、ウィッペン１５に立設されたスプーン２７に当接している。したがって、このジャックボタンスクリュー２５を回すことによって、離鍵状態におけるジャック１１の角度位置を調整することが可能である。
【００３４】
一方、ハンマーシャンクレール１２の下面には、レギュレーティングレール２８がねじ止めされており、このレギュレーティングレール２８の下面に、ジャック１１の上方への回動を規制するレギュレーティングボタン２９が進退自在に螺合していて、ジャック１１のレギュレーティングボタン当接部１１ｂの前端部と所定の間隔をもって対向している。
【００３５】
以上の構成のアクション８によれば、図３に示す離鍵状態から鍵１０が押鍵されると、ウィッペン１５が、キャプスタンボタン１９を介して突き上げられることにより、上方に回動するとともに、ウィッペン１５に取り付けたレペティションレバー９およびジャック１１も上方に回動する。これに伴い、まず、レペティションレバー９がシャンクローラ６を揺動させながらこれを介してハンマー１のハンマーシャンク２を押し上げることにより、ハンマーシャンク２が腕部２ｂ，２ｂおよび係合部４ｂに案内されながら上方に回動する。次いで、レペティションレバー９がドロップスクリュー１３に係合することにより、その回動が阻止されることで、ジャック１１がシャンクローラ６を介してハンマーシャンク２を突き上げる。その後、ハンマーシャンク２およびこれと一体のハンマーヘッド３が、上方に張られた弦Ｓを打弦する直前まで回動した時点で、ジャック１１が、レギュレーティングボタン２９に係合し、その回動が阻止されることによって、シャンクローラ６から抜ける。これにより、ハンマーシャンク２およびハンマーヘッド３は、アクション８および鍵１０との連結を解かれ、自由回動状態となり、ハンマーヘッド３が弦Ｓを打弦することによって、発音が行われる。
【００３６】
図４は、本発明の第２実施形態によるピアノのハンマー４１をシャンクフレンジ４とともに示している。本実施形態は、上述した第１実施形態と比較し、ハンマーシャンク４２の本体部４２ａの構成が異なる。すなわち、第１実施形態では、ハンマーシャンク２の本体部２ａに、肉盗み部として、中央に長さ方向に延びる中空部２ｃが形成されている。これに対し、この第２実施形態では、ハンマーシャンク４２の本体部４２ａに、肉盗み部として、上面および下面に凹部４２ｃが形成されている。
【００３７】
ハンマーシャンク４２は、第１実施形態と同様、長繊維法で成形されたＡＢＳ樹脂の成形品で構成されており、前後方向に延びる棒状の本体部４２ａと、本体部４２ａの前端部から互いに平行に前方に延びる腕部４２ｂ，４２ｂを一体に備えている。本体部４２ａには、図５に示すように、その上面および下面の中央部に、長さ方向に沿って連続的に延びる凹部４２ｃが形成されており、それにより本体部４２ａは、一定のＨ形の断面を有している。また、ハンマーシャンク４２の後端部には、第１実施形態と同様、これと直交するようにハンマーヘッド３が設けられている。
【００３８】
以上のように、本実施形態によれば、ハンマーシャンク２，４２が、長繊維法で成形されたＡＢＳ樹脂の成形品で構成され、０．５〜２ｍｍの比較的長い炭素繊維を補強用の長繊維として含有するので、非常に高い剛性が得られ、木材と同等またはそれ以上の十分な剛性を得ることができる。その結果、鍵１０が押鍵されたときのハンマーシャンク２，４２のたわみを抑制でき、押鍵エネルギーがハンマー１，４１から弦Ｓに効率良く伝達されることによって、豊かな音量を得ることができる。また、長繊維法で成形された成形品は、保形性や寸法安定性に優れているので、木材の場合と比較して、ハンマーシャンク２，４２自身の反りおよびねじれなどの変形および乾湿による伸縮を、非常に小さく抑制することができる。以上により、ハンマー１，４１の安定した動作を確保することができる。
【００３９】
また、本実施形態では、ハンマーシャンク２，４２は、肉盗み部として中空部２ｃおよび凹部４２ｃをそれぞれ有しているので、その分、ハンマーシャンク２，４２を軽量化でき、それにより、ハンマー１，４１の回動速度が高められることによって、さらに豊かな音量を得ることができる。また、上述したように本実施形態のハンマーシャンク２，４２は、補強用の長繊維によって剛性が高められるので、肉盗み部として中空部２ｃおよび凹部４２ｃにより断面がそれぞれ減少しても、所要の剛性を確保することが可能である。このように、所要の剛性を確保しながら、軽量化を最大限に図ることができる。また、ハンマーシャンク２，４２は長繊維法で成形されたＡＢＳ樹脂の成形品で構成されるので、そのような肉盗み部として中空部２ｃおよび凹部４２ｃを、成形時に容易にかつ精度良く形成することができる。  
【００４０】
さらに、本実施形態では、ハンマーシャンク２，４２に含有される補強用の長繊維として、炭素繊維を用いているので、ハンマーシャンク２，４２の導電性が高められることによって、その帯電を防止することができる。それにより、ハンマーシャンク２，４２およびその周辺へのほこりなどの付着を抑制でき、したがって、ハンマー１，４１の動作および外観を良好に維持することができる。
【００４１】
さらには、本実施形態では、ハンマーシャンク２，４２を構成する熱可塑性樹脂として、ＡＢＳ樹脂を用いているので、ハンマーシャンク２，４２へのシャンクローラ６などの他の部品の取付を、接着によって容易に行うことができ、その組立性を向上させることができる。  
【００４２】
なお、本発明は、説明した実施形態に限定されることなく、種々の態様で実施することができる。例えば、実施形態は、熱可塑性樹脂としてＡＢＳ樹脂を、補強用の長繊維として炭素繊維をそれぞれ用いた例であるが、他の適当な材料を用いることが可能であり、例えば、後者については、ガラス繊維を採用してもよい。また、第１実施形態では、ハンマーシャンク２を円筒状に形成しているが、これに代えて、断面が矩形などの多角形に形成された中空状のものを採用してもよい。また、実施形態では、ハンマー１，４１を軽量化するために、ハンマーシャンク２，４２は肉盗み部として中空部２ｃおよび凹部４２ｃをそれぞれ有しているが、剛性を優先する場合には、これらの肉盗み部を省略してもよい。
【００４３】
さらに、実施形態は、本発明をグランドピアノのハンマーシャンクに適用した例であるが、本発明を、他のタイプのピアノ、例えばハンマーを有するグランド型電子ピアノや自動演奏ピアノのハンマーシャンク、さらには、アップライトピアノのハンマーシャンクに適用してもよいことは、もちろんである。その他、本発明の趣旨の範囲内で、細部を適宜、変更することが可能である。    
【符号の説明】
【００４４】
１  ハンマー
２  ハンマーシャンク
２ｃ  中空部（肉盗み部）
３  ハンマーヘッド
１０  鍵
４１  ハンマー
４２  ハンマーシャンク
４２ｃ  凹部（肉盗み部）
【図１】
2005099609.tif 000003
【図２】
2005099609.tif 000004
【図３】
2005099609.tif 000005
【図４】
2005099609.tif 000006
【図５】
2005099609.tif 000007
【図６】
2005099609.tif 000008
【図７】
2005099609.tif 000009